(57)【要約】【課題】連結部材の軸心に対する手摺部材の連結角度が４５°を超える場合にも対応することのできる手摺用自在連結キットを提供する。【解決手段】連結部材４と可動部材５とが、互いの凹面部４２と凸面部５２とを球面接触させながら、両者の連結角度を一定の範囲内で変化させ得る自在連結具２と、一端に可動部材５の手摺接合部５１に着脱可能な嵌着部３１が設けられる一方他端に手摺部材Ｈの端部を受ける手摺受部３２が設けられるとともに、嵌着部３１の開口面３４と手摺受部３２の開口面３５とのなす開口面開き角度βが所定の角度に設定された少なくとも１個の角度調整アダプタ３と、を備えた手摺用自在連結キット１。【選択図】図２
2020029649.tif 000002
【特許請求の範囲】
【請求項１】
両側に半球面状の凹面部が設けられた連結部材と、一端に手摺部材の端部に嵌装可能な手摺接合部が設けられる一方他端に前記凹面部に嵌まり込む凸面部が設けられた一対の可動部材とを備え、これら各可動部材の前記凸面部には案内孔が形成されて、この案内孔に貫挿された軸部材が前記連結部材の凹面部の中央付近に結合されることにより、前記連結部材と前記可動部材とが、互いの凹面部と凸面部とを球面接触させながら、両者の連結角度を一定の範囲内で変化させ得る自在連結具と、
一端に前記可動部材の手摺接合部に着脱可能な嵌着部が設けられる一方他端に手摺部材の端部を受ける手摺受部が設けられるとともに、前記嵌着部の軸心と直交する開口面と前記手摺受部の軸心と直交する開口面とのなす開口面開き角度が所定の角度に設定された少なくとも１個の角度調整アダプタと、
を備えたことを特徴とする手摺用自在連結キット。
【発明の詳細な説明】
【技術分野】
【０００１】
本発明は、棒状または管状の手摺部材を角度可変に連結する手摺用自在連結キットに関する。
【背景技術】
【０００２】
例えば階段など、壁面の屈曲箇所に沿って手摺を設置するにあたり、直線状の手摺部材同士を、該屈曲箇所で向きを変えながら連結する必要が生じる。そのような箇所に利用する手摺用自在連結具が、例えば特許文献１〜３等に開示されている。
【０００３】
これらの文献に開示された手摺用自在連結具の基本的構造は、両側に半球面状の凹面部が設けられた連結部材と、一端に前記凹面部に嵌まり込む半球殻状の凸面部が設けられた一対の可動部材とを備え、各可動部材の凸面部には案内孔が形成されて、この案内孔に貫挿された軸部材が連結部材の凹面部の中央付近に結合されることにより、可動部材と連結部材とが、互いの凸面部と凹面部とを球面接触させながら、両者の連結角度を一定の範囲内で変化させることができるように構成されている。
【０００４】
各可動部材の他端には円筒状の手摺接合部が設けられ、その手摺接合部に棒状または筒状の手摺部材が装着され、ネジ等によって止め付けられる。
【先行技術文献】
【特許文献】
【０００５】
【特許文献１】特開平１１−６２６７号公報
【特許文献２】特開２００１−２５４４９６号公報
【特許文献３】実開平５−３５９４０号公報
【発明の概要】
【発明が解決しようとする課題】
【０００６】
前記従来の手摺用自在連結具の構造では、凸面部に形成される案内孔が長孔（特許文献１、２）または十字孔（特許文献３）として形成されているので、連結部材に対する可動部材の可動方向は、該長孔または十字孔内を軸部材が移動しうる２次元的な（平面的な）範囲に限定される。しかも、可動部材の可動範囲（可動角度）は案内孔の長さにより規定されるところ、可動部材を動かしたときに案内孔が連結部材の凹面部から露出すると意匠上好ましくないことから、案内孔の長さには自ずと限度があるので可動部材の最大可動角度は４５°までに制限される。したがって、連結部材の軸心に対する手摺部材の接続角度が４５°を超えることの多い、例えば回り階段では、可動部材の最大可動角度が４５°までに制限される上記従来の連結具で対応できないといった不都合が生じていた。このため、従来は、手摺部材の連結角度が４５°を超えても対応できるように予め角度を付けた複数種類の連結部材を用意することで対応していたが、それでは製造コストにロスが生じるとともに出荷管理が煩瑣になり、また施工現場でも連結部材の取捨選択をする必要があるため施工性にも劣るといった問題があった。
【０００７】
本発明は、かかる事情に鑑みてなされたもので、角度の異なる複数種類の連結部材を用意しておく必要がなく、一種類の連結部材で、連結部材の軸心に対する手摺部材の連結角度が４５°を超える場合にも対応することのできる手摺用自在連結キットを提供しようとするものである。
【課題を解決するための手段】
【０００８】
前述の目的を達成するために本発明の手摺用自在連結キットは、自在連結具と少なくとも１個の角度調整アダプタとを含むものである。
【０００９】
自在連結具は、両側に半球面状の凹面部が設けられた連結部材と、一端に手摺部材の端部に嵌装可能な手摺接合部が設けられる一方他端に前記凹面部に嵌まり込む凸面部が設けられた一対の可動部材とを備え、これら各可動部材の前記凸面部には案内孔が形成されて、この案内孔に貫挿された軸部材が前記連結部材の凹面部の中央付近に結合されることにより、前記連結部材と前記可動部材とが、互いの凹面部と凸面部とを球面接触させながら、両者の連結角度を一定の範囲内で変化させ得るものである。
【００１０】
一方、角度調整アダプタは、一端に前記可動部材の手摺接合部に着脱可能な嵌着部が設けられる一方他端に手摺部材の端部を受ける手摺受部が設けられるとともに、前記嵌着部の軸心と直交する開口面と前記手摺受部の軸心と直交する開口面とのなす開口面開き角度が所定の角度に設定されたものである。
【００１１】
この特定事項により、連結部材の軸心に対する手摺部材の連結角度が、自在連結具単独での連結可能角度を超えた場合でも、自在連結具の可動部材に角度調整アダプタを装着することにより対応することが可能となる。
【発明の効果】
【００１２】
前述のように構成される本発明の手摺用自在連結キットは、角度の異なる複数種類の連結部材を用意しておく必要がなく、一種類の連結部材で、連結部材の軸心に対する手摺部材の連結角度が４５°を超える場合にも対応できる手摺用自在連結キットを提供することができる
【図面の簡単な説明】
【００１３】
【図１】本発明の実施の形態に係る手摺用自在連結キットの全体構成を示す平面図である。
【図２】図１におけるＩＩ−ＩＩ線に沿う断面図である。
【図３】手摺用自在連結キットの自在連結具の斜視図である。
【図４】手摺用自在連結キットの背面図である。
【図５】ブラケットの構成を示す分解斜視図である。
【図６】角度調整アダプタの斜視図である。
【図７】角度調整アダプタの平面図である。
【図８】手摺用自在連結キットと手摺部材との接続状態を示す分解斜視図である。
【図９】手摺用自在連結キットを使用して回り階段に手摺を設置した例を示す斜視図である。
【図１０】図９におけるＡ部及びＢ部の拡大斜視図である。
【図１１】図９に示す設置例の平面図である。
【図１２】他の形態の壁面取付アダプタを取り付けた手摺用自在連結キットを示す斜視図である。
【発明を実施するための形態】
【００１４】
以下、本発明の実施の形態について図を参照して説明する。図１〜図１２は、本発明の実施の形態に係る手摺用自在連結キットを示す。例示した手摺用自在連結キット１は、図９〜図１１に示すように、回り階段の壁面に手摺を設置する場合において、階段室の出隅側に取り付けられて使用されるものである。
【００１５】
手摺用自在連結キット１は、図１，２，４，８，１２図に示すように、自在連結具２と少なくとも１個の角度調整アダプタ３とを含むものであり、自在連結具２は、連結部材４と、一対の可動部材５，５と、ブラケット６とを備えている。以下、各部材について詳述する。
【００１６】
連結部材４は、図１に示すように、その両側の開口面４１の成す角度αが９０°とされたエルボとされており、これら両側には、図２に示すように、半球面状の凹面部４２が設けられている。凹面部４２は、連結部材４の両側に設けられた凹陥部４３の底部から開口面４１に向けて立ち上げ形成された台座部４４の頂面に相当し、開口面４１の縁部４１ａを含む球面状の仮想曲面Ｃの中央に位置する。台座部４４の中心部には雌ネジ孔４５が形成されるとともに、この雌ネジ孔４５の開口周縁部に、図３に示すように、後述する可動部材５の案内孔５５と係合して可動部材５の可動領域を規定するための矩形状又は平行する対辺を有する多角形状の係止凸部４６が突設されている（図３では矩形状の例を示す）。さらに、凹面部４２には可動部材５との摺動を円滑にするための潤滑板４７が係止凸部４６に外嵌されることで配設されている。この潤滑板４７の素材としては、可動部材５の摺動を円滑に行わせるに足りる材質ものであればよく、例えばポリアセタール樹脂やシリコン樹脂、或いはナイロン樹脂等が挙げられる。
【００１７】
一対の可動部材５，５は、両方とも同一の部材であり、それぞれ一端には手摺部材Ｈの端部に嵌装可能な略筒状の手摺接合部５１を備え、他端には連結部材４の凹面部４２に連結される凸面部５２を備えている。
【００１８】
例示形態では、手摺部材Ｈの断面形状が円形であり、これに合わせて手摺接合部５１も略円筒状に形成されている。手摺接合部５１と手摺部材Ｈとは、図８に示すように、手摺接合部５１の側面２〜３ヶ所に配した止めネジ５３によって固定される。例示形態では、止めネジ５３として丸皿の木ネジが利用され、手摺接合部５１の側面に対向して形成された２ヶ所の止めネジ孔５４に止め付けられる。
【００１９】
凸面部５２は、図２に示すように、略一定の肉厚を有する半球殻状の部位で、その外表面は、連結部材４の凹面部４２と略同径の半球状凸面をなし、十分滑らかに仕上げられている。また、凸面部５２の内表面は外表面と同心で、やや小径の半球状凹面をなしている。凸面部５２と手摺接合部５１とは、互いの軸心を合致させて一体的に形成されている。
【００２０】
凸面部５２には、長孔状の案内孔５５が形成され、この案内孔５５に前述の係止凸部４６が係合される。案内孔５５は、凸面部５２の中央（半球状凸面を正面から見た円の中心／可動部材５の軸方向における先端に突出した部分）を含んで非対称に、つまり該中央から片側に長く、他側に短く延びるように形成されている。ここで、連結部材４の凹面部４２における係止凸部４６が矩形の場合、図３に示すように、案内孔５５の両側縁は、係止凸部４６の２組の対辺のうちいずれか１組の対辺と摺接することになるので、可動部材５の可動領域を雌ネジ孔４５周りに９０°変更することができる。すなわち、図２に示す状態では、案内孔５５の両側縁が紙面と平行な係止凸部４６の対辺と摺接しているので、可動部材５は紙面と平行する面内で回動するが、案内孔５５の両側縁を紙面と直交する係止凸部４６の対辺と摺接させると、可動部材５は紙面と直交する面内で回動する。なお、係止凸部４６の形状を矩形以外の、例えば六角形や十二角形など対辺が平行な多角形とすれば、可動部材５の可動領域の変更度合いをさらに細かく設定することもできる。
【００２１】
上記のようになる可動部材５は、図２に示すように、その案内孔５５を連結部材４の凹面部４２の係止凸部４６に係合させた状態で、例えば六角穴付きボルトからなる軸部材７を可動部材５の内側からバネ座金７１及び球面座金７２を介して凸面部５２の案内孔５５に貫挿し、その脚先を連結部材４の台座部４４に形成された雌ネジ孔４５に螺入することで、連結部材４の凹面部４２に、円弧状に摺動可能に締結される。軸部材７の着脱や締め付け加減の調整は、凸面部５２の内面側、すなわち手摺接合部５１側から六角レンチ等の工具を挿し入れて行う。ここで、手摺接合部５１に手摺部材Ｈが接合される際、可動部材５は、軸部材７を締め付けることにより所定の向きに位置決めされるが、この状態で手摺接合部５１に手摺部材Ｈの一端部を接合してから手摺部材Ｈの他端部を持って手摺部材Ｈを最終的な姿勢にもっていくことで、てこの原理により可動部材５が摺動されてその向きが最終的に確定される。このとき、前述したように、凹面部４２には可動部材５との摺動を円滑にするための潤滑板４７が配設されているので、軸部材７による締め付けが強くともこのことによって可動部材５の摺動が阻害されることはない。なお、図３では、軸部材７の図示を省略している。
【００２２】
ブラケット６は、両側に可動部材５，５を備えた連結部材４を壁面Ｗに支持固定するためのものである。このブラケット６は、図５に示すように、略直角に屈曲されるとともに先端が連結部材４の下面に、バネ座金６７が装着されたネジ６２で固定される腕杆６１と、この腕杆６１の外周側開口部６３を開閉自在に閉蓋する着脱可能な化粧カバー６４と、腕杆６１の基端に着脱可能に設けられる壁面取付アダプタ６５とから構成されている。
【００２３】
壁面取付アダプタ６５は、例示のものにあっては、図９〜図１１に示すように、回り階段室の内周側における壁面Ｗの出隅部Ｅに取り付けられるので、図１，３に示すように、壁面Ｗへの取付面６５ａが略直角に凹んでいる。これとは逆に、壁面の入隅部に取り付ける場合は、図１２に示すように、取付面６５ａが外方へ突出された壁面取付アダプタ６５が使用される。また、壁面取付アダプタ６５の上記取付面６５ａの反対側は、腕杆６１の基端部が嵌入される嵌入部６５ｂとされている。
【００２４】
このようになる壁面取付アダプタ６５は、図４に示すように、取付面６５ａに４箇所に亘って形成されたネジ挿通孔６５ｃを介して、図示しない固定ネジにより壁面Ｗに固定される。そして、壁面Ｗに固定された壁面取付アダプタ６５の嵌入部６５ｂに腕杆６１の基端部が嵌入されるとともに、図５に示すように、外周側開口部６３側から３本のネジ６６を螺入することにより、壁面取付アダプタ６５と腕杆６１とが合体、固定される。
【００２５】
角度調整アダプタ３は、図６及び図７に示すように、一端に可動部材５の手摺接合部５１に着脱可能な嵌着部３１が設けられる一方、他端に手摺部材Ｈの端部を受ける手摺受部３２が設けられている。嵌着部３１は略筒状に形成されており、その外径は可動部材５の手摺接合部５１の内径と略等しくされている。また、嵌着部３１の周壁には、２箇所に亘って雌ネジ孔３１ａが設けられており、可動部材５の手摺接合部５１内に嵌着された状態で手摺接合部５１の外側から螺入される連結ネジ３６がこれら雌ネジ孔３１ａに螺入されることにより、可動部材５の手摺接合部５１に角度調整アダプタ３が連結、一体化される。手摺受部３２は、可動部材５の手摺接合部５１と同形状に形成されており、その周面には複数箇所に亘ってネジ孔３３が形成されている。このネジ孔３３は、可動部材５の手摺接合部５１に設けられた止めネジ孔５４と同形状とされており、手摺部材Ｈを固定するための止めネジ５３を共用することができるようになっている。
【００２６】
また、図７に示すように、角度調整アダプタ３の嵌着部３１の軸心３１ａと直交する開口面３４と手摺受部３２の軸心３２ａと直交する開口面３５とのなす開口面開き角度βは、本例の場合、４５°に設定されている。これによって、可動部材５の可動最大角度も４５°に設定されている場合は、連結部材４の軸心４ａ（図２参照）に対する手摺部材Ｈの連結角度が９０°になる場合でも対応することが可能となる。なお、可動部材５の可動最大角度及び角度調整アダプタ３の開口面開き角度βは上記した例に限るものではないが、可動部材５の可動最大角度は、４５°を超えると案内孔５５の端部が連結部材４の開口面４１の縁部４１ａから露出することになるので、４５°以下とされる。
【００２７】
このようになる角度調整アダプタ３は、連結部材４及び可動部材５と同じ材料で形成され、可動部材５に取り付けられた際に外観が可動部材５と一体化するようになっている。角度調整アダプタ３は、手摺部材Ｈの連結角度に応じて、両方の可動部材５に取り付けてもよいし何れか一方の可動部材５にのみ取り付けてもよい。
【００２８】
図８〜図１１は、上記のようになる手摺用自在連結キット１を用いて、回り階段室の内周側の壁面Ｗに手摺部材Ｈを取り付ける例を示している。図８は、手摺用自在連結キット１と手摺部材Ｈとの接続状態を示す分解斜視図、図９は、手摺用自在連結キット１を使用して回り階段に手摺部材Ｈを設置した例を示す斜視図、図１０は、図９におけるＡ部及びＢ部の拡大斜視図、図１１は、図９に示す設置例の平面図である。
【００２９】
この例では、出隅部に手摺用自在連結キット１を取り付け、一対の可動部材５，５のうち一方の可動部材５の手摺接合部５１に手摺部材Ｈの端部を嵌装するとともに、他方の可動部材５の手摺接合部５１に取り付けた角度調整アダプタ３にもう一方の手摺部材Ｈを嵌装することで、回り階段に沿って手摺部材が配設される。
【００３０】
なお、上記の実施形態では、連結部材４は、その両側の開口面４１の成す角度αが９０°とされたエルボとされているが、これに限らず、両側の開口面が平行なストレートとされてもよい。また、手摺部材Ｈの形状は、断面円形のいわゆる丸棒や管材に限らず、楕円でもその他の形状であってもよい。その場合、可動部材５の手摺接合部５１の形状及び角度調整アダプタ３の嵌着部３１と手摺受部３２の各形状もそれぞれ手摺部材Ｈの形状に合致した形状とされる。さらに、上記の実施形態では、ブラケット６は、入隅や出隅に対応したものとしているが、平滑な壁面に対応するものであってもよい。また、上記の実施形態では、自在連結具２はブラケット６を備えたものであるが、ブラケット６は必須ではなく、連結部材４と一対の可動部材５，５とから構成されたものでもよく、その場合、例えば、床面に立設された支柱の上端に連結部４が載置固定されるなど、自在連結具２はその連結部材４を介して任意の支持部材に直接取り付けられる構成であってもよい。
【符号の説明】
【００３１】
１  手摺用自在連結キット
２  自在連結具
３  角度調整アダプタ
３１  嵌着部
３２  手摺受部
３４  嵌着部の開口面
３５  手摺受部の開口面
４  連結部材
４２  凹面部
５  可動部材
５１  手摺接合部
５２  凸面部
β  開口面開き角度
【図１】
2020029649.tif 000003
【図２】
2020029649.tif 000004
【図３】
2020029649.tif 000005
【図４】
2020029649.tif 000006
【図５】
2020029649.tif 000007
【図６】
2020029649.tif 000008
【図７】
2020029649.tif 000009
【図８】
2020029649.tif 000010
【図９】
2020029649.tif 000011
【図１０】
2020029649.tif 000012
【図１１】
2020029649.tif 000013
【図１２】
2020029649.tif 000014